(57)【要約】【課題】  消し忘れた情報が他人に見られることを防止すること。【解決手段】  充電が開始されたとき、つまり、充電器と接続され、未使用状態とされたときに、記憶性ディスプレイ１３に書き換え動作を行うことで、表示内容を消去するようにした。そのため、例えば、表示内容を消し忘れて表示させたままラックに戻してしまったときにも、表示されていた電子データが他人に見られることを防止できる。【選択図】  図１
2007093914.tif 000002
【特許請求の範囲】
【請求項１】
一度表示した情報は次回の書き換え動作が行われるまで保持し続ける記憶性表示体を備える情報表示装置であって、
前記情報表示装置が表示中ではあっても利用されていない未使用状態であるか否かを判定する未使用状態判定手段と、前記未使用状態であると判定されると前記記憶性表示体に書き換え動作を行う書換手段と、を備えたことを特徴とする情報表示装置。
【請求項２】
前記未使用状態判定手段で未使用状態であると判定されると前記前記情報表示装置に対する操作入力を受け付けないセキュリティ状態とするセキュリティ状態設定手段と、前記セキュリティ状態にあるときに、前記情報表示装置の操作者が前記情報表示装置の使用を許されている人物であるか否かを判定する操作者判定手段と、前記情報表示装置の使用を許されていない人物であると判定されると前記セキュリティ状態を維持し、前記情報表示装置の使用を許されている人物であると判定されると前記セキュリティ状態を解除するセキュリティ状態解除手段とを、備えたことを特徴とする請求項１に記載の情報表示装置。
【請求項３】
前記未使用状態判定手段は、前記情報表示装置への操作入力が一定時間以上ないと、前記情報表示装置が未使用状態であると判定することを特徴とする請求項１又は２に記載の情報表示装置。
【請求項４】
前記書き換え動作が終了すると前記情報表示装置への電力供給を停止する停止手段と、前記情報表示装置の使用を終了したときに操作させる終了手段と、前記終了手段が操作されると前記情報表示装置への電力供給を再開する再開手段と、を備え、
前記未使用状態判定手段は、前記終了手段が操作されると、前記情報表示装置が未使用状態であると判定することを特徴とする請求項１又は２に記載の情報表示装置。
【請求項５】
前記情報表示装置に電力を供給するバッテリを備え、
前記未使用状態判定手段は、前記バッテリの充電が開始されると、前記情報表示装置が未使用状態であると判定することを特徴とする請求項１又は２に記載の情報表示装置。
【請求項６】
前記記憶性表示体は、入射光を反射することで表示を行う反射型表示体であり、前記未使用状態判定手段は、前記記憶性表示体への入射光量が所定閾値以下であると、前記情報表示装置が未使用状態であると判定することを特徴とする請求項１又は２に記載の情報表示装置。
【請求項７】
一度表示した情報は次回の書き換え動作が行われるまで保持し続ける記憶性表示体を備える情報表示装置であって、
前記情報表示装置に電力を供給するバッテリを備え、前記バッテリが充電器に取り付けられた状態から取り外された状態になったか否かを判定する未使用状態判定手段と、前記バッテリが充電器から取り外された状態になったと判定されると前記記憶性表示体に書き換え動作を行う書換手段と、を備えたことを特徴とする情報表示装置。
【請求項８】
前記未使用状態判定手段で前記バッテリが充電器から取り外された状態になったと判定されると前記前記情報表示装置に対する操作入力を受け付けないセキュリティ状態とするセキュリティ状態設定手段と、前記セキュリティ状態にあるときに、前記情報表示装置の操作者が前記情報表示装置の使用を許されている人物であるか否かを判定する操作者判定手段と、前記情報表示装置の使用を許されていない人物であると判定されると前記セキュリティ状態を維持し、前記情報表示装置の使用を許されている人物であると判定されると前記セキュリティ状態を解除するセキュリティ状態解除手段とを、備えたことを特徴とする請求項７に記載の情報表示装置。
【請求項９】
前記記憶性表示体に表示されている情報に機密性があるか否かを判定する機密性未使用状態判定手段と、機密性がないと判定されると前記記憶性表示体に書き換え動作を行うことを禁止する書換禁止手段と、を備えたことを特徴とする請求項１から８のいずれか１項に記載の情報表示装置。
【発明の詳細な説明】
【技術分野】
【０００１】
本発明は、一度表示した情報は次回の書き換え動作が行われるまで保持し続ける記憶性表示体を備える情報表示装置に関する。
【背景技術】
【０００２】
従来、この種の技術としては、コレステリック液晶表示体や電気泳動表示体等の記憶性表示体に文書を表示して閲覧させる表示装置がある（例えば、特許文献１及び２参照）。
このような表示装置にあっては、表示内容を書き換える動作がされない限り、それまで表示させていた情報を電力を消費せずに保持し続けるため、電力消費量が小さくて済み、例えば、外出時に持ち出して情報を表示させるデータビューアとして用いられている。
【特許文献１】特開２０００−２８４７６０号公報
【特許文献２】特開２００５−１７２８４３号公報
【発明の開示】
【発明が解決しようとする課題】
【０００３】
しかしながら、上記従来技術にあっては、表示内容が積極的に消されない限り、表示させていた情報が保持され続けるため、例えば、表示させていた情報を閲覧後に消し忘れると、当該情報が他人（当該情報を見せてはいけない人）に見られてしまう恐れがあった。
本発明は、上記従来技術の未解決の問題点に着目してなされたものであって、消し忘れた情報が他人に見られることを防止できる情報表示装置を提供することを課題とする。
【課題を解決するための手段】
【０００４】
上記課題を解決するために、本発明の情報表示装置にあっては、一度表示した情報は次回の書き換え動作が行われるまで保持し続ける記憶性表示体を備える情報表示装置であって、前記情報表示装置が表示中ではあっても利用されていない未使用状態であるか否かを判定する未使用状態判定手段と、前記未使用状態であると判定されると前記記憶性表示体に書き換え動作を行う書換手段と、を備えたことを特徴とする。
【０００５】
また、前記未使用状態判定手段で未使用状態であると判定されると前記前記情報表示装置に対する操作入力を受け付けないセキュリティ状態とするセキュリティ状態設定手段と、前記セキュリティ状態にあるときに、前記情報表示装置の操作者が前記情報表示装置の使用を許されている人物であるか否かを判定する操作者判定手段と、前記情報表示装置の使用を許されていない人物であると判定されると前記セキュリティ状態を維持し、前記情報表示装置の使用を許されている人物であると判定されると前記セキュリティ状態を解除するセキュリティ状態解除手段とを、備えるようにしてもよい。
【０００６】
さらに、前記未使用状態判定手段は、前記情報表示装置への操作入力が一定時間以上ないと、前記情報表示装置が未使用状態であると判定するようにしてもよい。
また、前記書き換え動作が終了すると前記情報表示装置への電力供給を停止する停止手段と、前記情報表示装置の使用を終了したときに操作させる終了手段と、前記終了手段が操作されると前記情報表示装置への電力供給を再開する再開手段と、を備え、前記未使用状態判定手段は、前記終了手段が操作されると、前記情報表示装置が未使用状態であると判定するようにしてもよい。
【０００７】
このような構成によれば、情報表示装置が放置状態であるときに、表示内容を自動的に消去することができる。そのため、例えば、表示させていた情報を消し忘れて放置してしまったときにも、消し忘れた情報が他人に見られることを防止することができる。
さらに、前記情報表示装置に電力を供給するバッテリを備え、前記未使用状態判定手段は、前記バッテリの充電が開始されると、前記情報表示装置が未使用状態であると判定するようにしてもよい。
【０００８】
このような構成によれば、例えば、ユーザが一日の終わりに充電器に接続することにより、充電と同時に表示内容を消去することができる。そのため、表示させていた情報を消し忘れたとしても、情報表示装置を次に持ち運ぶときには、表示内容が消去されているため、消し忘れた情報が他人に見られることを防止することができる。
また、前記記憶性表示体は、入射光を反射することで表示を行う反射型表示体であり、前記未使用状態判定手段は、前記記憶性表示体への入射光量が所定閾値以下であると、表示性能が落ちてしまうため前記情報表示装置が未使用状態であると判定するようにしてもよい。
【０００９】
このような構成によれば、例えば、情報表示装置を鞄にしまうことで、表示内容を消去することができ、消し忘れた情報が他人に見られることを防止することができる。
一方、上記課題を解決するために、本発明の情報表示装置は、一度表示した情報は次回の書き換え動作が行われるまで保持し続ける記憶性表示体を備える情報表示装置であって、前記情報表示装置に電力を供給するバッテリを備え、前記バッテリが充電器に取り付けられた状態から取り外された状態になったか否かを判定する未使用状態判定手段と、前記バッテリが充電器から取り外された状態になったと判定されると前記記憶性表示体に書き換え動作を行う書換手段と、を備えたことを特徴とする。
【００１０】
また、前記未使用状態判定手段で前記バッテリが充電器から取り外された状態になったと判定されると前記前記情報表示装置に対する操作入力を受け付けないセキュリティ状態とするセキュリティ状態設定手段と、前記セキュリティ状態にあるときに、前記情報表示装置の操作者が前記情報表示装置の使用を許されている人物であるか否かを判定する操作者判定手段と、前記情報表示装置の使用を許されていない人物であると判定されると前記セキュリティ状態を維持し、前記情報表示装置の使用を許されている人物であると判定されると前記セキュリティ状態を解除するセキュリティ状態解除手段とを、備えるようにしてもよい。
【００１１】
このような構成によれば、例えば、自宅内や会社内で使用する場合に、使用中に充電器に接続したとしても、表示内容が消去されることがなく、継続して使用することができる。また、表示装置を持ち運ぶときには、充電器から取り外されることで、表示内容が消去されるため、消し忘れた情報が他人に見られてしまうことを防止することができる。
さらに、前記記憶性表示体に表示されている情報に機密性があるか否かを判定する機密性未使用状態判定手段と、機密性がないと判定されると前記記憶性表示体に書き換え動作を行うことを禁止する書換禁止手段と、を備えるようにしてもよい。
【００１２】
このような構成によれば、例えば、機密性のある文書表示の合間に、絵画や小説等、趣味のものを表示させているときに、表示内容が消去されることを防止することができる。
【発明を実施するための最良の形態】
【００１３】
以下、本発明の情報表示装置を、会社内の複数の人員で共用される複数のデータビューア（電子データを表示して閲覧させる装置）に適用した例を図面に基づいて説明する。
即ち、これら複数のデータビューアは、それぞれ充電機能を有するラックに格納され、外出時に各人が任意のもの（閲覧する電子データに適した性能を有するもの）を持っていき、また、帰社時に返却するという運用方法により共同で使用されるものである。
【００１４】
そして、データビューアがラックに返却され、充電が開始されたときに、データビューアが放置状態（なんらかの情報を表示中ではあっても利用されていない状態）であると判定し、データビューアに書き換え動作を行うことで、消し忘れた電子データ（表示内容）が他人に見られることを防止するようになっている。
【００１５】
＜情報表示装置の構成＞
図１は、本実施形態のデータビューアの外形を示す斜視図である。図２は、本実施形態のデータビューアの内部構成を示すブロック図である。この図２に示すように、データビューア１は、各種スイッチ２、バッテリコントローラ３、認証部４、電源コントローラ５、メモリカード６、メモリカードコントローラ７、ＲＯＭ８、揮発性メモリ９、不揮発性メモリ１０、中央処理装置（ＣＰＵ）１１、ディスプレイコントローラ１２、記憶性ディスプレイ１３及びバスコントローラ１４を含んで構成される。
【００１６】
各種スイッチ２は、カーソルボタン（各種メニュー画面の操作を行うためのボタン）やページ切換ボタン（表示データの切り換え操作を行うためのボタン）等、データビューア１への操作入力を行うためのスイッチ群であり、操作者によって操作されると、その操作内容を示す操作信号をＣＰＵ１１と電源コントローラ５とに出力する。
バッテリコントローラ３は、データビューア１の各部１〜１４に電力を供給するバッテリ（不図示）の充電状態（充電の開始・終了）を監視し、一定閾値以上の電圧値（ラックから供給されるバッテリ充電用の電圧値）が検出されると（バッテリの充電が開始されると）、当該充電の開始を示す開始信号を電源コントローラ５に出力する。
【００１７】
認証部４は、操作者の指紋が検出面に押し当てられると当該指紋の特徴部を検出し、その特徴部の状態を示す指紋信号を電源コントローラ５に出力する。
電源コントローラ５は、各種スイッチ２から操作信号が出力された場合、バッテリコントローラ３から開始信号が出力された場合、又は認証部４から指紋信号が出力された場合に、バッテリによるＣＰＵ１１への電力供給を開始する。また、電源コントローラ５は、ＣＰＵ１１から書き換え終了信号（記憶性ディスプレイ１３の書き換え動作が終了したことを示す信号）が出力されると、ＣＰＵ１１への電力供給を停止する。
【００１８】
メモリカード６は、データビューア１の表示対象となる電子データを格納している。
メモリカードコントローラ７は、ＣＰＵ１１の読み出し要求に応じて、メモリカード６に格納されている任意の電子データを読み出してＣＰＵ１１に出力する。
ＲＯＭ８は、ＣＰＵ１１により実行される基本制御プログラムやアプリケーションプログラム等の各種プログラム及びこれら各種プログラムに係るデータを格納する。
【００１９】
揮発性メモリ９は、ＣＰＵ１１がプログラムを実行するときに各種プログラムを展開するワークエリアを形成するとともに、ＣＰＵ１１により実行される各種プログラムに係るデータ（例えば、ラスタデータ）を格納するメモリ領域を形成する。
不揮発性メモリ１０は、フラッシュＲＯＭ、ＥＥＰＲＯＭ、ＦｅＲＡＭ、ＦＲＡＭ等、記憶した情報は電力の供給がなくなっても保持し続けるメモリであり、操作者に指紋照合を要求するか否かを示すセキュリティ状態フラグ（「１」のセット状態である場合に指紋照合を要求することを示し、「０」のリセット状態である場合に指紋照合を要求しないことを示すフラグ）や表示されている電子データに関する情報を格納する。
【００２０】
ＣＰＵ１１は、ＲＯＭ５に格納されている各種プログラムを読み込み、それらをＲＡＭ６内に形成されるワークエリアに展開して実行することで、各部２〜１０を制御する。また、ＣＰＵ１１は、ビューア制御処理（後述）を実行し、通常時には、データビューア１への各種操作を受けつけて各部２〜１０を制御し、電子データのラスタデータを不揮発性メモリ１０に格納し、そのラスタデータが表示されるように記憶性ディスプレイ１３を駆動させる指令をディスプレイコントローラ１２に出力し、また、バッテリの充電が開始されると、全面を白画素に書き換える。また、ＣＰＵ１１は、記憶性ディスプレイ１３の書き換え動作が終了すると、書き換え終了信号を電源コントローラ５に出力する。
【００２１】
ディスプレイコントローラ１２は、ＣＰＵ１１からの指令により、揮発性メモリ９に格納されているラスタデータが表示されるように記憶性ディスプレイ１３を駆動する。
記憶性ディスプレイ１３は、コレステリック液晶表示体、つまり、入射光を反射することで表示を行い、且つ、一度表示した電子データは電力の供給がなくなっても次回の書き換え動作が行われるまで保持し続ける記憶性表示体であり、ディスプレイコントローラ１２により駆動されると、揮発性メモリ９から読み出された電子データを表示する。
【００２２】
＜ＣＰＵの動作＞
次に、ＣＰＵ１１で実行されるビューア制御処理を、図３のフローチャートに従って説明する。このビューア制御処理は、ＣＰＵ１１への電力供給が開始されると実行される処理であって、まずそのステップＳ１０１では、不揮発性メモリ１０に格納されているセキュリティ状態フラグが「１」のセット状態（操作者に指紋照合を要求する状態）であるか否かを判定する。セット状態である場合には（Ｙｅｓ）ステップＳ１０２に移行し、セット状態でない場合には（Ｎｏ）ステップＳ１０３に移行する。
【００２３】
前記ステップＳ１０２では、操作者の指紋が予め登録されている指紋と一致するまで、各種スイッチ２の操作入力を受けつけない認証必要時の電源ＯＮ処理（後述）を実行してから、この演算処理を終了する。（システム全体の電源をＯＦＦにする。）
前記ステップＳ１０３では、通常時には、各種スイッチ２の操作入力に応じて各部２〜１４を制御し、また、バッテリの充電が開始されると、全面を白画素とし且つセキュリティ状態フラグを「１」のセット状態とする認証不要時の電源ＯＮ処理（後述）を実行してから、この演算処理を終了する。（システム全体の電源をＯＦＦにする。）
次に、ビューア制御処理のステップＳ１０２で実行される認証必要時の電源ＯＮ処理を、図４のフローチャートに従って説明する。この認証必要時の電源ＯＮ処理は、まずそのステップＳ２０１で、ＣＰＵ１１への電力供給の開始要因が、各種スイッチ２の操作、バッテリの充電開始、又は操作者の指紋の特徴部の検出のいずれであるかを判定する。各種スイッチ２の操作である場合には（ＳＷ操作）ステップＳ２０２に移行し、バッテリの充電開始である場合には（充電開始）この演算処理をそのまま終了し、操作者の指紋の特徴部の検出である場合には（認証操作）ステップＳ２０３に移行する。
【００２４】
前記ステップＳ２０２では、指紋の照合が必要であることを報知するメッセージのラスタデータを揮発性メモリ９に格納し、そのラスタデータに基づいて、ディスプレイコントローラ１２に記憶性ディスプレイ１３を駆動させてから、この演算処理を終了する。
前記ステップＳ２０３では、認証部４から出力された指紋信号が示す指紋の特徴部を予め登録されている指紋群（データビューア１を共用する人員の指紋、データビューア１の使用を許されている人物の指紋）と照合し、前記特徴部が前記指紋群のいずれかと一致するか否か（使用を許されている人物であるか否か）を判定する。一致する場合には（Ｙｅｓ）ステップＳ２０４に移行し、一致しない場合には（Ｎｏ）この演算処理を終了する。
【００２５】
前記ステップＳ２０４では、不揮発性メモリ１０に格納されているセキュリティ状態フラグを「０」のリセット状態（操作者に指紋照合を要求しない状態）とする。
次にステップＳ２０５に移行して、操作者の指紋が予め登録されている指紋と一致したため、各種スイッチ２の操作入力を受けつけることができることを報知するメッセージのラスタデータを揮発性メモリ９に格納し、そのラスタデータに基づいて、ディスプレイコントローラ１２に記憶性ディスプレイ１３を駆動させてから、この演算処理を終了する。
【００２６】
次に、ビューア制御処理のステップＳ１０３で実行される認証不要時の電源ＯＮ処理を、図５のフローチャートに従って説明する。この認証不要時の電源ＯＮ処理は、まずそのステップＳ３０１で、ＣＰＵ１１への電力供給の開始要因が、各種スイッチ２の操作、バッテリの充電開始、又は操作者の指紋の特徴部の検出のいずれであるかを判定する。各種スイッチ２の操作である場合には（ＳＷ操作）ステップＳ３０２に移行し、バッテリの充電開始である場合には（充電開始）ステップＳ３０３に移行し、操作者の指紋の特徴部の検出である場合には（認証操作）この演算処理を終了する。
【００２７】
前記ステップＳ３０２では、各種スイッチ２から出力される操作信号に応じて各部２〜１４を制御してから（例えば、操作者に選択された任意の電子データのラスタデータを揮発性メモリ９に格納し、そのラスタデータに基づいて、ディスプレイコントローラ１２に記憶性ディスプレイ１３を駆動させてから）、この演算処理を終了する。
前記ステップＳ３０３では、データビューア１が未使用状態であるものと判定し、全面を白画素とするラスタデータを揮発性メモリ９に格納し、そのラスタデータに基づいて、ディスプレイコントローラ１２に記憶性ディスプレイ１３を駆動させる。
【００２８】
次にステップＳ３０４に移行して、不揮発性メモリ１０に格納されているセキュリティ状態フラグを「１」のセット状態としてから、この演算処理を終了する。
＜データビューアの具体的動作＞
次に、本実施形態のデータビューアの動作を具体的状況に基づいて詳細に説明する。
まず、外出先で記憶性ディスプレイ１３に表示させていた電子データを消し忘れ、会社に戻ってきたユーザが前記消し忘れた電子データを表示させたまま、また、セキュリティ状態フラグを「１」のセット状態とするのを忘れたまま（自身の指紋照合によって操作可能な状態にあり、指紋照合を新たに要求されない状態のまま）ラックに戻したとする。すると、ラックによりバッテリの充電が開始され、バッテリコントローラ３から開始信号が出力され、電源コントローラ５によってＣＰＵ１１への電力供給が開始される。そして、ＣＰＵ１１でビューア制御処理が実行され、図３に示すように、ステップＳ１０１の判定が「Ｎｏ」となり、ステップＳ１０３で、認証不要時の電源ＯＮ処理が実行される。
【００２９】
認証不要時の電源ＯＮ処理が実行されると、図５に示すように、ステップＳ３０１の判定が「充電開始」となり、ステップＳ３０３で、記憶性ディスプレイ１３の全面を白画素とするラスタデータが生成され、そのラスタデータに基づいてディスプレイコントローラ１２に記憶性ディスプレイ１３を駆動させ、ステップＳ３０４で、セキュリティ状態フラグが「１」のセット状態（指紋照合を要求する状態）とされた後、この演算処理を終了する。そして、ディスプレイコントローラ１２により、記憶性ディスプレイ１３が駆動され、それまでの表示内容が消去され、情報表示装置１０の全面が白紙状態となる。
【００３０】
このように、本実施形態のデータビューア１にあっては、充電が開始されたとき、つまり、ラックに戻されたときに、データビューア１が未使用状態であると判定し、表示内容を消去するようにした。そのため、例えば、表示させていた電子データを消し忘れてラックに戻してしまったときにも、消し忘れた表示内容が他人に見られることを防止できる。
以上、上記実施形態あっては、図１、図２の液晶ディスプレイが特許請求の範囲に記載の記憶性表示体を構成し、以下同様に、図２のバッテリコントローラ３、電源コントローラ５、ＣＰＵ１１、図３のステップＳ１０１〜Ｓ１０３が未使用状態判定手段を構成し、図２の揮発性メモリ９、ＣＰＵ１１、ディスプレイコントローラ１２、図３のステップＳ１０１、Ｓ１０３、図５のステップＳ３０１、Ｓ３０２が書換手段を構成し、図２の認証部４、ＣＰＵ１１、図３のステップＳ１０１、Ｓ１０２、図４のステップＳ２０１、２０３が操作者判定手段を構成し、図２の認証部４、ＣＰＵ１１、図３のステップＳ１０１がセキュリティ状態設定手段を構成し、図２の認証部４、ＣＰＵ１１、図３のステップＳ１０１がセキュリティ状態設定手段を構成し、図３のステップＳ１０２、図４のステップＳ２０３が操作者判定手段を構成し、図４のステップＳ２０３、Ｓ２０４がセキュリティ状態解除手段を構成する。
【００３１】
なお、本発明の情報表示装置は、上記実施の形態の内容に限定されるものではなく、本発明の趣旨を逸脱しない範囲で適宜変更可能である。
上記実施形態にあっては、充電が開始されたときに（ラックに戻されたときに）、表示内容を消去する例を示したが、これに限られるものではない。例えば、ラックから持ち出されたとき、つまり、充電器から取り外されたときに（ラックから供給される充電用の電圧が検出された後、当該電圧が検出できなくなったとき）、表示内容を消去するようにしてもよい。そのようにすれば、例えば、会社内で使用する場合に、使用中に充電器に接続したとしても、表示内容が消去されることがなく、継続して使用することができる。また、外出時に会社外に持っていくときには、充電器から外されることで、表示内容が消されるため、消し忘れた表示内容が他人に見られてしまうことを防止することができる。
【００３２】
また、各種スイッチ２からの操作信号の入力が一定時間（例えば、１時間）以上ない場合に、データビューア１が未使用状態であると判定し、表示内容を消去するようにしてもよく（例えば、ＣＰＵ１１への電力供給が停止しても動作するタイマにより、操作信号の入力がなくなってからの経過時間をカウントし、前記一定時間がカウントとされた場合に、表示内容を消去する）、さらに、記憶性ディスプレイ１３への入射光量が所定閾値（表示内容の閲覧が困難となる入射光量）より小さくなった場合に、データビューア１が未使用状態であると判定し、表示内容を消去するようにしてもよい（例えば、記憶性ディスプレイ１３への入射光量を検出する光センサを設け、当該光センサにより入射光を検出できなくなった場合に、表示内容を消去する）。そのようにすれば、例えば、会社に戻らずに続けて打ち合わせ先に行く場合、最初の打ち合わせ先から次の打ち合わせ先への移動時に、データビューア１を鞄にしまうことで、それまでの表示内容が消されるため、最初の外出先での表示内容が次の外出先で見られてしまうことを防止することができる。なお、入射光量が所定閾値より小さいときに、表示内容を消去する方法にあっては、単に日が落ちて周囲が暗くなったときにも表示内容が消去されることとなるが、そもそもコレステリック液晶は反射型表示体であり、入射光量が小さいところでは閲覧できないので問題ない。
【００３３】
さらに、記憶性ディスプレイ１３に表示されている電子データに機密性があるか否かを判定し、機密性がない場合には、表示内容の消去を行わない（消去を禁止する）ようにしてもよい。そのようにすれば、例えば、仕事に用いる合間に、絵画や小説等、趣味のものを表示させているときに、その表示内容が消去されることを防止することができる。
また、データビューア１の使用を終了したときに操作させる終了ボタンを設け、その終了ボタンが操作されると、データビューア１が未使用状態であると判定し、表示内容を消去するようにしてもよい。
【図面の簡単な説明】
【００３４】
【図１】本発明を適用したデータビューアの外形を示す斜視図である。
【図２】図１のデータビューアの内部構成を示すブロック図である。
【図３】ビューア制御処理のフローを示すフローチャートである。
【図４】認証必要時の電源ＯＮ処理のフローを示すフローチャートである。
【図５】認証不要時の電源ＯＮ処理のフローを示すフローチャートである。
【符号の説明】
【００３５】
１はデータビューア、２は各種スイッチ、３はバッテリコントローラ、４は認証部、５は電源コントローラ、６はメモリカード、７はメモリカードコントローラ、８はＲＯＭ、９は揮発性メモリ、１０は不揮発性メモリ、１１はＣＰＵ、１２はディスプレイコントローラ、１３は記憶性ディスプレイ、１４はバスコントローラ
【図１】
2007093914.tif 000003
【図２】
2007093914.tif 000004
【図３】
2007093914.tif 000005
【図４】
2007093914.tif 000006
【図５】
2007093914.tif 000007